(57)【要約】  モップ用スワッブ（１０、１１０）は、外ケーシング（１４）および内側充填材（２０）を含む。外ケーシング（１４）は、吸収性材料で形成され、内側充填材（２０）を覆う。内側充填材（２０）は吸収性材料で形成される。外ケーシング（１４）の両主面（１６、１８）は、内側充填材（２０）を介して、互いに引っ付けられ、外ケーシング（１４）の両主面（１６、１８）に複数の窪み（２８）を形成し、外ケーシング内（１４）での内側充填材（２０）の移動を制限する。
2009526588.tif 000002
【特許請求の範囲】
【請求項１】
外ケーシングおよび内側充填材を備え、
前記外ケーシングは、吸収性材料から形成され、前記内側充填材を覆い、
前記内側充填材は吸収性材料から形成され、
前記外ケーシングの両主面は、前記内側充填材を介して互いに対して引っ付けられ、前記外ケーシングの前記両主面に複数の窪みを形成し、前記外ケーシング内での前記内側充填材の移動を制限する
ことを特徴とするモップ用スワッブ。
【請求項２】
前記外ケーシングの前記両主面が前記内側充填材を介して縫い合わされて、複数の凹部がスワッブに形成され、
前記複数の凹部の各々は、使用時に大量の空気が捕捉される空所となる
ことを特徴とする請求項１に記載のスワッブ。
【請求項３】
前記空所は、前記外ケーシングと前記内側充填材との間の空所を含む
ことを特徴とする請求項２に記載のスワッブ。
【請求項４】
前記外ケーシングの前記両主面は、間隔を隔てて設けられ互いにほぼ同じ方向に延びる縫い合わせ線の列により、前記内側充填材を介して互いに引っ付けられ、ほぼ同じ方向に延びる複数の凹部が形成されている
ことを特徴とする請求項１〜３のいずれか一項に記載のスワッブ。
【請求項５】
前記複数の縫い合わせ線の列は互いにほぼ平行に延びている
ことを特徴とする請求項４に記載のスワッブ。
【請求項６】
追加として、前記細長い凹部の長さを分断する横断縫い合わせ線が設けられている
ことを特徴とする請求項５に記載のスワッブ。
【請求項７】
前記外ケーシングは、前記内側充填材を覆って前記両主面を形成する吸収性材料製の一枚のシートから形成され、
前記外ケーシングが前記内側充填材を包囲するように、前記シートの三つの向かい合う縁部が、前記主面間に配置された内側充填材とともに、互いに引っ付けられている
ことを特徴とする請求項１〜６のうちのいずれか一項に記載のスワッブ。
【請求項８】
前記外ケーシングは、前記外ケーシングの前記両主面をもたらす吸収性材料製の二つの別個のシートから形成され得り、
前記二つの別個のシートの間に前記内側充填材が配置され、
前記外ケーシングが前記内側充填材を包囲するように、二枚のシートの四つの向かい合う縁部が、互いに引っ付けられている
ことを特徴とする請求項１〜６のうちのいずれか一項に記載のスワッブ。
【請求項９】
前記向かい合う縁部は、縫い合わせることによって互いに引っ付けられている
ことを特徴とする請求項７または８に記載のスワッブ。
【請求項１０】
前記吸収性の外ケーシングは、織布材料および不織繊維材料のいずれか一方から形成されている
ことを特徴とする請求項１〜９のうちのいずれか一項に記載のスワッブ。
【請求項１１】
前記内側充填材はインターレース構造である
ことを特徴とする請求項１〜１０のうちのいずれか一項に記載のスワッブ。
【請求項１２】
前記内側充填材は、マット状吸収性材料、フェルト状繊維または織布またはフェルト状材料または織製材料、並びに、不織繊維のうちの一つ又はこれらのうちの二以上の混合物である
ことを特徴とする請求項１１に記載のスワッブ。
【請求項１３】
実質的に、添付図面を参照して以下に説明された、及び／又は、添付図面のうちのいずれかの図面に示されたスワッブ。
【請求項１４】
請求項１〜１３のうちのいずれか一項に記載のスワッブと、
モップスワッブホルダと、を備える
ことを特徴とするアッセンブリ。
【請求項１５】
前記モップスワッブホルダは、チャンネルと、前記モップスワッブの縁部を前記チャンネルに固定する固定手段と、を有し、
前記スワッブは、使用時に、前記チャンネルから垂れ下がる
ことを特徴とする請求項１４に記載のアッセンブリ。
【請求項１６】
前記チャンネルは、細長いチャンネルおよび湾曲したチャンネルのうちの一方である
ことを特徴とする請求項１に記載のアッセンブリ。
【請求項１７】
前記モップスワッブホルダは、前記両主面のうちの一方に取り付けられる
ことを特徴とする請求項１４に記載のアッセンブリ。
【請求項１８】
前記モップスワッブホルダは、ハンドル固定具を有し、
前記ハンドル固定具によって、ハンドルを前記モップスワッブホルダに取り付けることができる
ことを特徴とする請求項１４〜１７のうちのいずれか一項に記載のアッセンブリ。
【請求項１９】
スワッブと、モップスワッブホルダと、を備えたアッセンブリであって、
実質的に、添付図面を参照して以下に説明された、及び／又は、添付図面のうちのいずれかの図面に示されたアッセンブリ。
【請求項２０】
請求項１４〜１９のうちのいずれか一項に記載のスワッブ−モップホルダアッセンブリと、前記モップスワッブホルダに取り付けられたハンドルと、の組み合わせを含むモップ。
【請求項２１】
請求項２０に記載されたモップのスワッブであって、前記内側充填材を介して前記外ケーシングの前記主面を互いに引っ付けることによって複数の凹部が形成され、当該凹部の各々が、大量の空気が捕捉される空所を含んでいる、スワッブのクリーニング方法において、
前記モップスワッブをクリーニング液に入れる工程および前記スワッブを絞る工程のうちの一方または両方を含み、
前記凹部内の前記空所に捕捉された空気が、それぞれの凹部の前記外ケーシングの前記吸収性材料を通って押し出される
ことを特徴とする方法。
【請求項２２】
実質的に添付図面のうちのいずれかの図面を参照して以下に説明されたスワッブのクリーニング方法。
【請求項２３】
外ケーシングを吸収性材料で形成する工程と、
吸収性材料で形成された内側充填材を前記ケーシングで覆う工程と、
前記内側充填材を介して前記外ケーシングの両主面を互いに引っ付け、前記外ケーシングの前記両主面に窪みを形成し、前記外ケーシング内での前記内側充填材の移動を制限するようにする工程と、を含む
ことを特徴とする請求項１〜１３のうちのいずれか一項に記載されたスワッブの製造方法。
【請求項２４】
前記内側充填材を吸収性材料のウェブとして準備する工程と、
前記内側充填材のウェブを前記外ケーシングの前記両主面間に供給する工程と、
前記外ケーシングの前記両主面の向かい合った縁部を互いに引っ付けて、前記内側充填材を包む工程と、を含む
ことを特徴とする請求項２３に記載の方法。
【請求項２５】
前記内側充填材は吸収性材料の小片として準備され、
前記小片が、前記外ケーシングの前記両主面間に配置され、
次いで、前記外ケーシングの前記両主面の向かい合った縁部は互いに引っ付けられて、前記内側充填材が包まれる
ことを特徴とする請求項２３に記載の方法。
【請求項２６】
前記内側充填材を介して前記外ケーシングの前記両主面を互いに引っ付けて、窪みを形成する前記工程は、前記両主面の向かい合う縁部を互いに引っ付ける工程と同時に行われる
ことを特徴とする請求項２３〜２５のうちのいずれか一項に記載の方法。
【請求項２７】
前記外ケーシングの前記両主面を互いに引っ付けて窪みを形成する工程の後、または、この工程に先立って、前記両主面の向かい合う縁部を互いに引っ付ける工程が行われる
ことを特徴とする請求項２３〜２５のうちのいずれか一項に記載の方法。
【請求項２８】
前記外ケーシングの前記両主面を互いに引っ付ける工程の後に、前記スワッブを複数のスワッブ部分に分割する工程を含み、
各スワッブ部分に、内側充填材が包まれており、
各スワッブ部分は、それらの両主面に複数の窪みを有する
ことを特徴とする請求項２３〜２７のうちのいずれか一項に記載の方法。
【請求項２９】
実質的に添付図面のうちのいずれかの図面を参照して以下に説明されたスワッブの製造方法。
【請求項３０】
ここに開示された及び／又は添付図面のいずれかの図面に示された特徴の新規な組み合わせのいずれかの新規な特徴。
【発明の詳細な説明】
【技術分野】
【０００１】
本発明はスワッブに関し、さらに詳細には、モップで使用するためのスワッブに関する。
【発明の背景および発明の概要】
【０００２】
本発明は、モップスワッブがモップスワッブホルダから垂れ下がる種類のモップに関する。モップは、主として、使用時に、モップスワッブの垂れ下がった端の下部分が、モップ掛けされるべき表面と接触するように使用される。さらに、本発明は、モップスワッブホルダに取り付けられたモップスワッブを、モップ掛けされるべき表面に平らに当てて使用する種類のモップに関する。
【０００３】
モップスワッブがモップスワッブホルダから垂れ下がる種類のモップは、代表的には、使用時に、モップを掛けられるべき表面上に溜まったかなり大量の液体を吸収するようになっている。しかしながら、モップスワッブを、モップ掛けされるべき表面に平らに当てて使用する種類のモップは、代表的には、大量の液体を除去し又は保持するようになっていないが、例えば、モップ掛けされるべき表面を乾燥させるのに使用してもよい。
【０００４】
特にモップスワッブがモップスワッブホルダから垂れ下がる種類のモップで使用されるモップスワッブが既知であり、これは、リボン状材料の多数のストランドを含む。このような多数のストランドを使用することは、液体で一杯になっても、モップ掛けされるべき表面とストランドの一部だけが接触し、過度の抗力が加わることなく容易に移動することができるため、有利である。しかしながら、このような多ストランドモップスワッブは、個々のストランドを製作した後に互いに取り付けてモップスワッブを形成しなければならないため、製造に費用がかかり、時間がかかり、そして高価である。
【０００５】
吸収性材料で形成された多数の別体のシートで形成されたモップスワッブもまた既知である。これによりスワッブをさらに迅速に製造することができるけれども、シートは、クリーニング液を含むと重くなり、モップ掛けがなされる表面と大部分が接触するため、大きな抗力が発生し、そのため、使用時に使用者がスワッブを操作するのが困難になる。
【０００６】
本発明の第１の特徴によれば、モップ用スワッブにおいて、外ケーシングおよび内側充填材を含み、外ケーシングは吸収性材料で形成されており、内側充填材を包囲し、内側充填材は吸収性材料で形成されており、外ケーシングの両主面は、内側充填材を挟んで互いに取り付けられて、外ケーシングの両主面に複数の窪みを形成し、外ケーシング内での内側充填材の移動を制限する、スワッブが提供される。
【０００７】
本発明により提供されるモップスワップによれば、使用時に、スワッブの両主面の窪みにより、スワッブをクリーニングされるべき表面に沿って移動させるとき、スワッブと表面との間の接触面積が減少し、これによってスワッブとモップ掛けされるべき表面との間の抗力が減少し、かくしてモップを使用し易くなる。
【０００８】
さらに、外ケーシングの両主面が、例えば互いに結合されるのでなく、内側充填材を間に介在させて取り付けられるため、スワッブに複数の凹部（ポケット）が形成される。これらの凹部の各々は空所であり、例えば、外ケーシングと内側充填材との間に、使用時に、大量の空気が捕捉される。本発明によるスワッブ構造では、スワッブのクリーニングが従来のモップスワッブよりも効率的であることがわかっている。これは、スワッブの絞り中、スワッブの凹部内の空所に捕捉された大量の空気が外ケーシングを通して圧送され、外ケーシングの材料に捕捉された汚れを非常に効率的に除去するためである。
【０００９】
好ましい構成では、外ケーシングの両主面は、内側充填材を間に置いて、ほぼ同じ方向に、例えば互いに平行に延びる間隔を隔てて設けられた複数の縫い合わせ線の列によって互いに接続される。その結果、細長くほぼ同じ方向に延びる窪み及びかくして凹部が、外ケーシングの両主面に形成される。このような細長い窪みは、モップ掛けされるべき表面上でスワッブが使用時に移動される方向に延びていてもよく、望ましくは実質的にスワッブの全主面に亘って延びていてもよい。しかしながら、外ケーシング内での内側充填材の移動をさらに制限するため、使用時の抗力をさらに減少するため、並びに、絞り中のスワッブのクリーニング効率を維持するために細長い凹部を長さ方向に分断するため、必要に応じて横断縫い合わせ線を設けてもよい。
【００１０】
外ケーシングを一枚の吸収性材料シートから形成し、これを内側充填材に巻き付けて両主面を形成し、外ケーシングが内側充填材を包囲するように、巻き付けたシートの向き合った三つの縁部を、主面間に内側充填材を置いた状態で、例えば縫い合わせ線によって互いに取り付けるようにしてもよい。
【００１１】
しかしながら、別の実施の形態では、外ケーシングの両主面を形成する二つの別体の吸収性材料シートから外ケーシングを形成し、これらの間に内側充填材を置き、外ケーシングが内側充填材を包囲するように、二枚のシートの四つの向き合った縁部を、例えば縫線によって互いに取り付けるようにしてもよい。
【００１２】
吸収性材料外ケーシングは、織布材料または不織繊維材料、例えばスパンボンデッド不織繊維材料、溶融吹き付け不織繊維材料、ヒドロエンタングルド不織繊維材料、空気堆積不織繊維材料、および、カーデッド不織繊維材料から形成されていてもよい。
【００１３】
内側充填材は、例えば詰め物等のマット状吸収性材料、フェルト状繊維または織布またはフェルト状材料または織製材料、並びに、不織繊維のうちの一つ又はこれらのうちの二以上の混合物等の任意の吸収性材料製のインターレース構造（織り合わされたような構造）であってもよい。
【００１４】
本発明の第２の特徴によれば、本発明の第１の特徴によるスワッブおよびモップスワッブホルダのアッセンブリが提供される。
【００１５】
モップスワッブホルダはチャンネルを備えており、使用時にモップがこのチャンネルから垂れ下がる。さらに、モップスワッブの縁部をチャンネル内に固定するための固定手段を有する。
【００１６】
チャンネルは、細長くてもよいし、湾曲していてもよい。
【００１７】
別の例では、モップスワッブホルダは、両主面のうちの一方に取り付けられていてもよく、これによって、モップスワッブは、使用時に、他方の主面を、モップ掛けされるべき表面にほぼ平らに当てて使用される。
【００１８】
各場合において、モップスワッブホルダは、スピゴット（差し込み口）およびソケットのうちの一方であるハンドル固定具を備えていてもよく、これによってハンドルをモップスピゴットホルダに取り付けることができる。
【００１９】
本発明の第３の特徴によれば、本発明の第２の特徴のスワッブおよびモップスワッブホルダアッセンブリと、モップスワッブホルダに取り付けたハンドルとの組み合わせを含むモップが提供される。
【００２０】
本発明の第４の特徴によれば、本発明の第３の特徴によるモップのスワッブのクリーニングを行うための方法が提供される。この方法では、外ケーシングの主面を、これらの主面間に内側充填材を置いた状態で互いに引っ付けることによって、スワッブに複数の凹部を形成する。これらの凹部の各々は、大量の空気が捕捉される空所を含む。本方法は、モップスワッブをクリーニング液に入れる工程およびスワッブを絞る工程の一方または両方を含む。スワッブを絞る工程では、凹部内の空所に捕捉された空気を、それぞれの凹部の外ケーシングの吸収性材料を通して外方に圧送する。
【００２１】
本発明の第５の特徴によれば、本発明の第１の特徴のスワッブの製造方法が提供される。この方法は、外ケーシングを吸収性材料で形成する工程と、吸収性材料内側充填材をケーシング内に包囲する工程と、外ケーシングの両主面を、内側充填材を間に置いて互いに取り付け、外ケーシングの両主面に窪みを形成し、外ケーシング内での内側充填材の移動を制限するようにする工程と、を含む。
【００２２】
この方法は、内側充填材を吸収性材料のウェブとして提供する工程と、内側充填材ウェブを外ケーシングの両主面間に供給する工程と、外ケーシングの両主面の向き合った縁部を互いに取り付け、内側充填材を包囲する工程と、を含んでもよい。
【００２３】
別の態様では、内側充填材は、吸収性材料のスライバ（小片）として提供されてもよい。これらのスライバを外ケーシングの両主面間に配置した後、両主面の向き合った縁部を互いに取り付けて内側充填材を包囲してもよい。
【００２４】
外ケーシングの両主面を、その間に内側充填材を置いた状態で互いに取り付けて窪みを形成する工程は、好ましくは、両主面の向き合った縁部を互いに取り付ける工程と同時に行われるが、後に行ってもよいし、先立って行ってもよい。
【００２５】
方法は、外ケーシングの両主面を互いに取り付ける工程の後、スワッブを複数のスワッブ部分に分割する工程を含む。これらのスワッブ部分の各々は、内側充填材を包囲し、両主面および複数の窪みをそれぞれ有する。
【００２６】
各スワッブ部分は、モップスワッブについて使用してもよい。
【００２７】
次に、本発明の実施の形態を添付図面を参照して単なる例として説明する。
【発明を実施するための最良の形態】
【００２８】
まず、図１および図２を参照すると、吸収性材料モップスワッブ１０は、代表的には、ファブリック材料である吸収性材料から形成された外ケーシング（外側包囲体、外被材）１４を含む。この外ケーシング１４は、一つの層の吸収性材料シートによって各々形成された一対の主面１６、１８を有する。この材料は、織布材料であってもよいし、不織繊維から形成されていてもよく、リサイクルされた廃棄物であってもよく、または、必要に応じて所定の目的で形成された材料であってもよい。
【００２９】
この実施の形態では、外ケーシング１４は、材料の上下の主面１６、１８を提供する別々のシートで形成されるが、別の実施の形態では、外ケーシング１４は、折り返すことによって対をなした主面１６、１８を形成する単一の吸収性材料シートによって形成されていてもよい。
【００３０】
スワッブ（掃除具、拭き取り具）１０は、さらに、外ケーシング１４内に設けられており且つ外ケーシング１４によって取り囲まれた、両方の主面１６、１８間に配置された吸収性材料からなる内側充填材２０を含む。この内側充填材２０の吸収性は、好ましくは、外ケーシング１４よりも大きい。
【００３１】
内側充填材２０は、この例では、マット状の詰め物等のインターレース構造または細メッシュ、或いはフェルト材料または織製材料、或いは不織繊維材料であってもよく、廃棄物または所定の目的に適うように形成された吸収性材料によって形成されていてもよい。
【００３２】
好ましくは、図１に示すように、内側充填材２０は、ばらばらになる（崩れる）ことなく巻いたり拡げたりすることができるウェブとして提供されるが、別の態様では、適当な吸収性材料の小片（スライバ）によって内側充填材２０を形成することもできる。例えば、内側充填材２０は、廃新聞紙、衣服の端布、ティーバッグ等のストリップであってもよいし、これらのストリップを含んでいてもよい。
【００３３】
図１に示すように、モップスワッブ１０の一つの形成方法は、三つのロール材料２２、２４、２６を使用する。第１材料ロール２２は、外ケーシング１４の一方の主面１６用のシートを提供し、第２材料ロール２３は、ウェブ状の内側充填材２０を提供し、第３材料ロール２６は、外ケーシング１４の他方の主面１８用のシートを提供する。内側充填材２０のウェブは、ロール２２、２４、２６の各々を巻き戻す際に、外ケーシング１４の両主面１６、１８間に供給される。
【００３４】
参照番号２２を付した多数の主だった縫い合わせ線（縫線）の列は、この例では、ほぼ同じ方向、すなわち、材料１６、１８、２０の供給方向に延びている。これらの縫い合わせ線の列を使用し、上下の主面１６、１８を内側充填材２０に取り付け、および、互いに引っ付け、モップスワッブ１０の長さに沿って延びる複数の個々の細長い凹部（くぼみ、ポケット、谷間、受け口）を形成する。
【００３５】
縫い合わせ線（縫い合わせ目、縫線）２２は、外ケーシング１４内での内側充填材２０の望ましからぬ移動すなわち変位、並びに、材料の凹部の分離を、無くす又は制限することに役立つ。
【００３６】
ロール２２、２６から供給される外ケーシングシート１６、１８の両縁部もまた、例えば縫い合わせ線（縫い合わせ目、縫線）により、互いに直接接触して又は間に充填材２０を挟んで互いに固定される。図２では、両縁部は、両側３２、３３のところで互いに引っ付けられた状態で示してあるが、前縁３０は引っ付けられていない状態で示してある。添付図面に示すように、主たる縫い合わせ線の列（主縫い合わせ線列）２２は、この例では、個々の凹部（ポケット）を形成するため、互いに間隔が隔てられてほぼ平行に延びている。
【００３７】
所望であれば、内側充填材２０を外ケーシング１４内の所定の場所にさらに積極的に保持するため、主として、製造されるべきモップスワッブ１０の大きさに応じて、一つ又はそれ以上の横断方向の副縫い合わせ線列２５を使用してもよい。図３および図４に示すこのような横断方向縫い合わせ線（横断方向縫い合わせ目、横断方向縫線）２５は、主縫い合わせ線列２２が提供する凹部の長さを分断する。横断方向縫い合わせ線２５は、必要に応じて、主縫い合わせ線列２２に対して全体的に斜行方向に延びていてもよいし、横方向に延びていてもよい。
【００３８】
縫い合わせ線２２、２５は、内側充填材２０を外ケーシング１４の両主面１６、１８間に挟んで効果的に結合する。これにより、外ケーシング１４の主面１６、１８に複数の窪み２８が形成される。これらの窪み２８は、この例では、主として複数の細長い全体に平行な窪み２８、すなわち、チャンネル（溝）またはトラフとなっている。さらに、横断方向縫い合わせ線２５によって複数の横断方向窪みが形成される。このような複数の窪み２８は、実質的に外ケーシング１４の主面１６、１８全体に亘って延びる。
【００３９】
以上説明した方法によって製造したモップスワッブ１０は、任意の所望の大きさであってもよく、以下に説明するように単一のモップを形成するのに使用してもよく、あるいは、モップスワッブ１０を大きさで分け、複数のモップスワッブ部品を提供してもよい。これらのモップスワッブ部品は、モップの形成に使用することができる。かくして、各モップスワッブ部品は、それ自体、本発明によるモップスワッブであり、内側充填材２０が外ケーシング１４内に包囲されている。
【００４０】
図２に示すモップスワッブ１０は、モップスワッブ１０を必要とされるように横方向に又は長さ方向に切断することによって分けることができ、未処理の両縁部は、内側充填材２０全体がモップスワッブ１０または各モップスワッブ部品の外ケーシング１４内に包囲されるように縫い合わせる。
【００４１】
モップスワッブ１０を加工し、モップスワッブ１０がモップホルダから垂れ下がった図４に示す種類のモップを提供するため、モップスワッブ１０が取り付けられるモップホルダ４６から、このモップホルダ４６から最も遠いモップスワッブの最下自由縁部まで計測したモップスワッブ１０の垂下長さ、すなわち、吊り下がり長さの二倍と対応する長さに、モップスワッブ１０を形成する。
【００４２】
図３からわかるように、内側充填材２０を介して外ケーシング１４の主面１６、１８を接続する主縫い合わせ線の列２２は、モップスワッブ１０の長さの長手方向に延び、かつ、モップスワッブ１０の最下自由縁部３４ａ、３４ｂとなる縁部に対して垂直に延びている。
【００４３】
次いで、モップスワッブ１０の中央部分３６を両側からギャザー寄せし、モップスワッブ１０が外方に末広がりになるウェスト部分を形成する。ウェスト部分３６は、主縫い合わせ列２２に対して横方向にまたは実質的に横方向に、モップスワッブ１０を横切って延びる一つ又はそれ以上の横断縫い合わせ線（横断縫線、横断縫い合わせ線目）３８によって形成される。ウェスト部分３６は、製造されるべきモップのモップホルダ４６に連結するための強化ヘッドバンド部分４０を形成する。
【００４４】
図４には、モップスワッブ１０のヘッドバンド部分４０を受け入れ、例えば保持デバイス５２によって保持する細長い直線状のチャンネル（溝）４８を形成するモップホルダ４６が示しされている。モップハンドル５１をモップホルダ４６に取り付けることができるようにするため、ハンドル用固定具、すなわち、この例ではソケット５０であるが、別の態様では、スピゴット（差し込み部、差し込み口）、例えばねじ山を備えたスピゴットが、モップホルダ４６に設けられている。ハンドル５１の位置を図４に破線で示す。
【００４５】
モップスワッブ１０をモップホルダ４６に永久的に取り付けてもよいけれども、望ましくは、保持手段５６は解放自在のクランプエレメントであり、これにより、クリーニングや交換を行うためにチャンネル４８からモップシート１２を取り外すことができる。したがって、汚れたら廃棄することができるようにモップスワッブ１０を製造することができる。
【００４６】
図４に示されたモップホルダ４６およびモップスワッブ１０のアッセンブリの変形例は、モップスワッブ１０を受け入れるチャンネル４８が細長いのではなく湾曲しており、例えば円形をなしている例である。この例では、モップスワッブ１０のヘッドバンド部分４０を、好ましくは、図３に示すように中央に設けるのでなく、モップスワッブ１０の一端に形成する。モップスワッブ１０を湾曲したチャンネルにクランプする。その結果、モップスワッブは、湾曲したチャンネルから垂下し、モップスワッブ１０が全体に円錐形または截頭円錐形をなしたモップスワッブ１０およびモップホルダ４６のアッセンブリを提供する。
【００４７】
本発明のモップスワッブ１０は、任意の所望の大きさに合わせて、長さ、すなわち主縫線列２２が延びる方向での長さが例えば最大１ｍまたはそれ以上であるように形成してもよい。モップスワッブ１０の幅もまた、最大１ｍまたはそれ以上であってもよい。望ましくは、単一のモップスワッブ１０が、モップホルダに、モップホルダのほぼ全幅に亘って延びるように取り付けられ、モップを形成する。しかし、多数のモップスワッブが設けられる場合には、好ましくは、各モップスワッブの幅は少なくとも５ｃｍであり、好ましくは、少なくとも１０ｃｍである。外主面１６、１８間のモップスワッブ１０の全厚は、代表的には、５ｍｍ乃至２５ｍｍまたはそれ以上である。モップスワッブ１０は、複数のモップスワッブ部分に分割されてもよい。これらのモップスワッブ部分の各々は、多くの様々な大きさの複数のモップスワッブを提供するのに使用される。
【００４８】
図４に示すモップスワッブ１０およびモップホルダ４６のアッセンブリの変形例では、所望であれば、モップスワッブ１０の両主面１６、１８を互いに取り付ける主縫線列２２が、全体に、モップスワッブ１０が受け入れられるチャンネル４８と同じ方向に延びるようにモップスワッブ１０をモップホルダ４６に取り付けてもよい。しかしながら、モップ掛けが行われる表面上でのモップスワッブ１０の移動時の抗力を減少するため、好ましくは、主縫線列２２は、モップ掛けが行われる表面上でのモップスワッブ１０の移動方向とほぼ一致する方向に延びる。
【００４９】
内側充填材２０を外ケーシング１４の両主面１６、１８間に挟んで効果的に結合することによってモップスワッブ１０の両主面１６、１８に形成された窪み２８により、外ケーシング１４とモップ掛けが行われる表面との間の接触面積が減少する。したがって、モップスワッブ１０がクリーニング液または他の液体で一杯になっており、およびかくしてかなり重いにも関わらず、モップ掛けが行われる表面上での外ケーシング１４の移動時に発生する抗力が大幅に減少し、これによってモップの操作性が向上する。
【００５０】
図５を参照すると、図示のモップスワッブ１００およびモップホルダ１４６のアッセンブリの第２の実施の形態を形成する上で使用されるモップスワッブ部分１００を提供するため、図２のモップスワッブ１０を分割することができる。この実施の形態では、モップ掛けが行われる表面上にモップスワッブ１００を平らに当てて使用する。この例では、外ケーシング１４の主面１６が、モップ掛けが行われる表面と接触する。図５の実施の形態では、モップスワッブ１００の幅は１００ｍｍよりも大きいが、長さが遥かに短い。主縫線列２２は、モップ掛けが行われる表面上でモップスワッブ１００を移動させる方向とほぼ同じ方向に延びる。図示していないけれども、所望であれば、横断縫線（横断縫い合わせ線、横断縫い合わせ目）が設けられていてもよい。モップ掛けが行われる表面を形成する外ケーシング１４の主面１６は、かくして、全体に平行な複数の窪み２８を含み、かくしてスワッブ１００とモップ掛けが行われる表面との間の抗力を減少させる。モップスワッブ１００は、細長い平らな又は実質的に平らな支持面１４８を含むモップホルダ１４６に固定される。モップスワッブ１００は、使用中、支持面１４８に当たった状態（接触した状態、当接した状態）に保持される。この実施の形態でも、モップハンドルをモップホルダ１４６に取り付けるためのソケット１５０が、モップホルダ１４６に、平らな又は実質的に平らな支持面１４８のモップスワッブ１００とは反対側に設けられている。
【００５１】
モップホルダ１４６は、収納のため、折り畳むことができ且つ再び元の形体にすることができるように形成されていてもよく、場合によっては、モップスワッブを必要なときに輪にしてもよい。
【００５２】
モップスワッブ１００をモップホルダ１４６に連結するための手段が設けられている。この手段は、プレススタッド、フック−ループ固定デバイス（例えばベルクロ（ベルクロ（Ｖｅｃｒｏ）は登録商標である））、または、モップホルダ１４６の平らな表面１４８と、使用時にモップ掛けが行われる表面と接触する主面１６とは反対側のモップスワッブ１００の主面１８との間を解放自在にまたは永久的に連結する任意の他の適当な手段に形態であってもよい。
【００５３】
上文中に説明したモップスワッブ１０、１００の形体は、廃棄前に数回使用することができる、有効であり且つ安価なモップスワッブ１００を提供する。価格に見合って使い捨てにするのに十分に製造費を低減することができるが、特に丈夫な材料を使用する場合には、何回も再使用することができるモップスワッブ１００を提供することができる。
【００５４】
上文中に説明したモップスワッブ１０、１００の実施の形態の各々では、内側充填材を取り囲む外ケーシング１４により、並びに、外ケーシング１４の両主面１６、１８を内側充填材２０を挟んで接続する縫線（縫い合わせ線、縫い合わせ目）２２、２５により、縫線２２、２５および外ケーシング１４の引っ付けられた自由縁部によって形成された凹部に大きな空所容積が提供される、ということは理解されよう。
【００５５】
これらの空所により、ケーシング１４内に結合層構造や単層構造で得られるよりも大きな容積の空気を捕捉するようになる。
【００５６】
外ケーシング１４の吸収性材料は、使用時に、モップ掛けが行われる表面から大量の汚れを集める。汚れは、液体とともに内側充填材２０に入り込まない。モップスワッブ１０、１００を絞るとき、空気および液体が内側充填材２０から外ケーシング１４の材料を通過し、集められた汚れが捕捉された空気によって効果的に除去される。外ケーシング１４内に包囲された内側充填材２０および個々の凹部を形成する縫線（縫い合わせ線、縫い合わせ目）２２、２５により、内空所から絞り出される捕捉された全ての空気が外ケーシング１４材料を局所的に通過するようにし向けられる。
【００５７】
汚れたスワッブ１０、１００を例えばクリーニング液に浸漬するだけで、内空所から漏出する空気により、集められた汚れの少なくとも幾分かが効果的に除去される。
【００５８】
本発明の範囲から逸脱することなく、様々な変更を行うことができる。例えば、ここに説明した例では、外ケーシング１４は、吸収性材料製の二つの別々の層すなわちシート１６、１８から形成されており、シートの四つの縁部は、内側充填材２０が外ケーシング１４によって包囲されるように、例えば縫線によって互いに引っ付けられている。別の例では、外ケーシング１４は、両主面１６、１８を形成するように内側充填材２０に包み込む一枚の吸収性材料シートから形成されていてもよく、包んだシートの残る三つの縁部を、主面１６、１８間に配置した内側充填材２０とともに、例えば縫線によって取り付け、その結果、外ケーシング１４が内側充填材２０を包囲する。
【００５９】
所望であれば、両主面１６、１８は、縫合以外の手段で内側充填材を通して互いに取り付けてもよい。
【００６０】
以上の説明、あるいは特許請求の範囲、あるいは添付図面に開示し、開示の結果を得るための開示の機能、または方法またはプロセスを実行するための特定の形態または手段について説明した特徴は、本発明を様々な形態で実施するため、別々にまたはこのような特徴の任意の組み合わせで適当に使用してもよい。
【図面の簡単な説明】
【００６１】
【図１】図１は、本発明によるモップスワッブの製造方法を示す概略図である。
【図２】図２は、製造段階の本発明によるモップスワッブの斜視図である。
【図３】図３は、モップを製造するための加工を施したモップスワッブの概略図である。
【図４】図４は、図３のモップスワッブが、モップ掛けされるべき表面と接触した状態にある、モップスワッブを保持するモップホルダの斜視図である。
【図５】図５は、別の実施の形態のモップホルダおよびモップスワッブアッセンブリを下方から見た斜視図である。
【図１】
2009526588.tif 000003
【図２】
2009526588.tif 000004
【図３】
2009526588.tif 000005
【図４】
2009526588.tif 000006
【図５】
2009526588.tif 000007
【国際調査報告】
2009526588.tif 000008
2009526588.tif 000009
2009526588.tif 000010